(57)【要約】【課題】  回転側と固定側の間で電力供給を非接触で行うことができて、回転停止時にも電力供給でき、回転側へ供給した電力は、センサ類等の種々の電源として利用できる電力伝送装置付車輪用軸受を提供する。【解決手段】  固定輪である外方部材１と回転輪である内方部材２との間に複列の転動体５を介在させる。外方部材１と内方部材２の間で非接触で電力を伝達する電力伝送装置２１を設ける。前記固定輪または回転輪の少なくても一方に、電力伝送装置２１に接続されたコネクタ３１，３２を設ける。電力伝送装置２１は、例えば、固定輪に設置された１次コイル２２と、回転輪に設置された２次コイル２４とを有し、交流電流の印加により電磁誘導で電力を伝達する。【選択図】        図１
2008249046.tif 000002
【特許請求の範囲】
【請求項１】
複列の転走面が形成された固定輪と、この固定輪の転走面と対向する転走面を形成した回転輪と、対向する転走面間に介在した複列の転動体と、前記固定輪と前記回転輪間の端部を密封する密封装置とを備え、車体に対して車輪を回転自在に支持する車輪用軸受において、
前記固定輪と前記回転輪の間で非接触で電力を伝達する電力伝送装置を設け、前記固定輪または前記回転輪の少なくても一方に、前記電力伝送装置に接続されたコネクタを有することを特徴とする電力伝送装置付車輪用軸受。
【請求項２】
請求項１において、前記電力伝送装置は、前記固定輪に設けられるコアに巻回された１次コイルと、前記回転輪に設けられるコアに巻回された２次コイルとでなり、前記１次コイルと前記２次コイルとで磁気回路を構成することを特徴とした電力伝送装置付車輪用軸受。
【請求項３】
請求項２において、前記１次コイルおよび前記２次コイルのいずれか一方または両方が、コイルを保護するための隔壁を有することを特徴とする電力伝送装置付車輪用軸受。
【請求項４】
請求項２または請求項３において、前記電力伝送装置における磁気回路は、前記固定輪の一部および前記回転輪の一部のどちらか一方または両方を含むことを特徴とする電力伝送装置付車輪用軸受。
【請求項５】
請求項１ないし請求項４のいずれか１項において、前記コネクタは、このコネクタに対して接続されるコネクタとの差し込み接続状態で防水性を有するものとしたことを特徴とした電力伝送装置付車輪用軸受。
【請求項６】
請求項１ないし請求項５のいずれか１項において、前記コネクタは、前記回転輪または前記固定輪に固定したことを特徴とする電力伝送装置付車輪用軸受。
【請求項７】
請求項１ないし請求項６のいずれか１項において、前記コネクタとして、タイヤまたはホイール側へ配線を接続するコネクタを有し、このコネクタは前記回転輪の内径部に配置したことを特徴とする電力伝送装置付車輪用軸受。
【請求項８】
請求項１ないし請求項６のいずれか１項において、前記コネクタとして、タイヤまたはホイール側へ配線を連結するコネクタを有し、このコネクタは前記回転輪に設けられたフランジに配置したことを特徴とする電力伝送装置付車輪用軸受。
【請求項９】
請求項１ないし請求項８のいずれか１項において、前記固定輪および前記回転輪のいずれか一方または両方に、これら固定輪と回転輪の対向する周面から軸受外部に配線を出すための配線孔または配線溝を有することを特徴とする電力伝送装置付車輪用軸受。
【請求項１０】
請求項９において、前記配線孔または前記配線溝の一部をモールドしたことを特徴とする電力伝送装置付車輪用軸受。
【請求項１１】
請求項１ないし請求項１０のいずれか１項において、前記固定輪および前記回転輪のいずれか一方または両方に、伝達する電力の安定化を行う制御回路を有することを特徴とした電力伝送装置付車輪用軸受。
【発明の詳細な説明】
【技術分野】
【０００１】
この発明は、回転輪と固定輪との間で非接触で電力の受け渡しを行う電力伝送装置を内蔵した電力伝送装置付車輪用軸受に関する。
【背景技術】
【０００２】
近年、自動車の安定性向上のために、タイヤに異常が発生した時にその異常を検出し、必要に応じてドライバに警報を発するタイヤ異常検出装置の開発が盛んに行われている。例えば、タイヤの空気圧を監視するタイヤ空気圧監視装置（特許文献１）やタイヤの温度や摩耗量に基づいてタイヤの異常を検出するタイヤ異常検出装置などが挙げられる。また、タイヤ接地力を検出する手段においても、回転側に荷重センサを設ける構造が提案されている（特許文献５）。このように、回転側へセンサを設置する場合には、センサや送信機を駆動するための電力を回転側へ供給する必要がある。
【０００３】
このような要望に応えるものとして、タイヤ内部に空気圧変動により形状変形を生じて発電を行う発電板を有するものが提案されている（例えば、特許文献１）。また、タイヤの回転側に電磁コイル、非回転側に磁界発生手段を設けたタイヤ電源供給装置が提案されている（例えば、特許文献２）。また、車輪用軸受に発電装置を組み込んだ車輪用軸受装置が提案されている（特許文献３）。また、軸受に非接触信号伝達機構を設けた非接触信号伝達機構付き軸受が提案されている（例えば、特許文献４）。その他、スリップリングや無線給電などの方法で回転側へ電力を供給する手段が挙げられる。
【特許文献１】特開２００６−３２９７７２号
【特許文献２】特開２００６‐２３２１９５号
【特許文献３】特開２００２‐０５５１１３号
【特許文献４】特開２００２‐１３０２６２号
【特許文献５】特開２００３‐２４６２０１号
【発明の開示】
【発明が解決しようとする課題】
【０００４】
特許文献１のタイヤの空気圧変動による発電板の形状変形により発電を行うものでは、発電量が少なく、発電量を増やすには複数の発電板を設ける必要がある。そのため、組立性やコストの面で問題がある。例えば、複数の発電板を設けても、複数のセンサに電力を供給することは難しい。
特許文献２の構成では、軸受の外側に発電装置を設けており、全体が大きくなることでバネ下荷重が増加する。また、組立て性や発電装置のシール性が良いとも言えない。さらに、ホイールへの取付時に配線が邪魔になるという問題がある。
特許文献３の構成では、車輪用軸受で発電しているが、回転側への電力供給として利用されていない。
特許文献４のような通常の軸受に設置した場合は、回転側と固定側で電力の送受信ができても、そこからセンサ等へ配線することが困難である。
また、特許文献１〜３の構成では、いずれも回転中にしか電力を供給することができない。
その他、無線給電では、送信側と受信側の位置関係が重要となり、設計の自由度が狭くなるという問題がある。また、スリップリングを利用した場合、摩耗や配線の取り回しが問題となる。
【０００５】
この発明の目的は、回転側と固定側の間で電力供給を非接触で行うことができて、回転停止時にも電力供給でき、回転側へ供給した電力は、センサ類等の種々の電源として利用でき、また車両にコンパクトに電力伝送装置を設置でき、配線が容易に行えて組立性がよく、量産性に優れた電力伝送装置付車輪用軸受を提供することである。
【課題を解決するための手段】
【０００６】
この発明の電力伝送装置付車輪用軸受は、複列の転走面が形成された固定輪と、この固定輪の転走面と対向する転走面を形成した回転輪と、対向する転走面間に介在した複列の転動体と、前記固定輪と前記回転輪間の端部を密封する密封装置とを備え、車体に対して車輪を回転自在に支持する車輪用軸受において、前記固定輪と前記回転輪の間で非接触で電力を伝達する電力伝送装置を設け、前記固定輪または前記回転輪の少なくても一方に、前記電力伝送装置に接続されたコネクタを有することを特徴とする。この固定輪または回転輪に設けるコネクタは、例えば差し込み接続型のものであって、互いに差し込み接続される一対のコネクタ対における片方のものであり、プラグ型およびソケット型のうちのいずれであっても良い。上記コネクタ対におけるもう片方のコネクタは、上記固定輪または回転輪に設けるコネクタに対して接続する配線側に設ける。
【０００７】
この構成によると、固定輪と回転輪の間で電力を伝達する電力伝送装置を設けたため、固定側から回転側への電力供給が容易に行うことができる。電力伝送装置は、発電機と異なり、回転しなくても電力の供給が可能となる。そのため、タイヤなどに取り付けたセンサに必要な無線給電機能、電池、単体での発電機能、などを不要にできる。回転側に電池等を設置している場合には回転側への電力供給を行う必要がないため、例えば、回転側のセンサ出力等を固定側へ通信する機能として利用してもよい。また、固定輪または回転輪の少なくても一方にコネクタを設けたため、車輪用軸受と車体側の配線または車輪用軸受とタイヤやホイール側への配線が容易となる。車輪用軸受を車体やホイールに組み込んだ後でも配線できるため、組立てが容易になる。
【０００８】
この発明において、前記電力伝送装置は、前記固定輪に設けられるコアに巻回された１次コイルと、回転輪に設けられるコアに巻回された２次コイルとでなり、前記１次コイルと前記２次コイルとで磁気回路を構成するものとしても良い。いわゆるロータリトランスとする。これにより、回転体である回転側輪を有する車輪用軸受に適した構造となる。
【０００９】
前記１次コイルおよび前記２次コイルのいずれか一方または両方が、コイルを保護するための隔壁を有するものとしても良い。このように隔壁を設けることで、コイルを保護することができる。また、電力伝送装置の周辺にグリースがある状況では、グリースによるコイルの絶縁被覆の劣化を防ぐことができる。
【００１０】
前記電力伝送装置における磁気回路は、前記固定輪の一部および前記回転輪の一部のどちらか一方または両方を含むものとしても良い。磁気回路が固定輪の一部または回転輪の一部を含むように構成すれば、磁気回路を構成し易く、ロータコアやステータコアの形状を簡素化できる。
【００１１】
前記コネクタは、このコネクタに対して接続されるコネクタとの差し込み接続状態で防水性を有するものとしても良い。このように防水性を持たせれば、塩泥水を浴びるような環境が悪い条件でも使用可能となる。
【００１２】
前記コネクタは、前記回転輪または前記固定輪に固定しても良い。コネクタを回転輪または固定輪に固定すれば、ホイールなどの組立時に配線が邪魔にならず、タイヤ側や車体側への配線も容易に行える。
【００１３】
タイヤやホイール側へ配線を連結するコネクタを、回転輪の内径部または回転輪に設けられたフランジに設けても良い。これによりタイヤやホイールへの給電が容易となる。また、コネクタが回転輪の内径部またはフランジに配置されることで、コネクタが周辺部品の邪魔とならず、配線も行い易い。
【００１４】
前記固定輪および前記回転輪のいずれか一方または両方に、これら固定輪と回転輪の対向する周面から軸受外部に配線を出すための配線孔または配線溝を設けても良い。このような配線孔または配線溝を設けると、配線を外部に引き出すことが容易となり、また車輪用軸受に等速ジョイントを組み付けるときなどに、配線を断線することが防止される。
【００１５】
前記配線孔または前記配線溝の一部をモールドしても良い。配線孔や配線溝の一部をモールドすることで、内部へ水等の異物が侵入することが防止できる。
【００１６】
この発明において、前記固定輪および前記回転輪のいずれか一方または両方に、伝達する電力の安定化を行う制御回路を設けても良い。この制御回路は、例えば、整流回路、レギュレータ、インバータ等を含む回路とされる。このような制御回路を設けることで安定した電力を供給することができる。
【発明の効果】
【００１７】
この発明の電力伝送装置付車輪用軸受は、固定輪と前記回転輪の間に電力伝送装置を設けたため、回転側と固定側の間で電力供給を非接触で行うことができて、回転側へ供給した電力は、タイヤの異常検出等のセンサ類等の種々の電源として利用できる。発電機を設けた場合と異なり、回転停止時にも電力供給できてセンサ類への電力供給に好ましい。また、車輪用軸受に電力伝送装置を組み込んでいるため、車両にコンパクトに電力伝送装置を設置でき、さらに前記電力伝送装置に接続されたコネクタを有するため、タイヤ側への配線がコネクタにより容易に行うことができて、組立性がよく、量産性に優れたものとなり、コスト低減が図れる。
【発明を実施するための最良の形態】
【００１８】
この発明の一実施形態を図１ないし図３と共に説明する。図１は図２のＩ−Ｏ−Ｉ′線に沿う断面図である。この実施形態は、第３世代型の内輪回転タイプで、駆動輪支持用の車輪用軸受に適用したものである。なお、この明細書において、車両に取付けた状態で車両の車幅方向の外側寄りとなる側をアウトボード側と呼び、車両の中央寄りとなる側をインボード側と呼ぶ。
この電力伝送装置付車輪用軸受における軸受は、図１に断面図で示すように、内周に複列の転走面３を形成した外方部材１と、これら各転走面３に対向する転走面４を形成した内方部材２と、これら外方部材１および内方部材２の転走面３，４間に介在した複列の転動体５とで構成される。この車輪用軸受は、複列のアンギュラ玉軸受型とされていて、転動体５はボールからなり、各列毎に保持器６で保持されている。上記転走面３，４は断面円弧状であり、各転走面３，４は接触角が背面合わせとなるように形成されている。外方部材１と内方部材２との間の軸受空間の両端は、密封装置となるシール７，８によってそれぞれ密封されている。
【００１９】
外方部材１は固定輪であり、車体の懸架装置（図示せず）におけるナックルに取付ける車体取付用のフランジ１ａを外周に有し、全体が一体の部品とされている。フランジ１ａには、周方向の複数箇所に車体取付用のボルト孔１４が設けられている。
内方部材２は回転輪であって、車輪取付用のハブフランジ９ａを有するハブ輪９と、このハブ輪９の軸部９ｂのインボード側端の外周に嵌合した内輪１０とでなる。これらハブ輪９および内輪１０に、前記各列の転走面４が形成されている。ハブ輪９のインボード側端の外周には段差を持って小径となる内輪嵌合面１２が設けられ、この内輪嵌合面１２に内輪１０が嵌合している。ハブ輪９の中心には貫通孔１１が設けられている。ハブフランジ９ａには、周方向複数箇所にハブボルトの圧入孔１６が設けられている。ハブ輪９のハブフランジ９ａの根元部付近には、車輪および制動部品（図示せず）を案内する円筒状のパイロット部１３がアウトボード側に突出している。
【００２０】
この車輪用軸受に、固定輪である外方部材１と回転輪である内方部材２の間で非接触で電力を伝達する電力伝送装置２１が設けられている。電力伝送装置２１は、複列の転走面３，３（４，４）間に配置されている。
【００２１】
電力伝送装置２１は、１次コイル２２、ステータコア２３、２次コイル２４、ロータコア２５、および配線２６，２７から構成される。１次コイル２２および２次コイル２４は互いに一つの磁気回路を構成するように設けられる。ステータコア２３は、内径面に溝があるリング状部材からなり、その溝部内に１次コイル２２が巻かれている。ロータコア２５は外径面に溝があるリング状部材からなり、その溝部内に２次コイル２４が巻かれている。ステータコア２３およびロータコア２５の一部には、配線を通すための配線孔（図示せず）が設けられている。ステータコア２３および１次コイル２２は、固定輪である外方部材１の内径面に、またロータコア２５および２次コイル２４は、回転輪である内方部材２の外径面に、お互いがラジアル方向に対向するように設置されている。ステータコア２３およびロータコア２５は、外方部材１および内方部材２に対して圧入または接着などの方法で固定される。なお、ステータコア２３およびロータコア２５のアキシャル方向の位置決めをするために、外方部材１の内径面や内方部材２の外径面に、段差や突起（図示せず）などを設けてもよい。
【００２２】
固定輪である外方部材１には、１次コイル２２に接続された配線２６を通す配線孔２８が、内径面から外径面に貫通して設けられている。回転輪である内方部材２のハブ輪９には、２次コイル２４に接続された配線２７を通す配線孔２９が外径面から内径面に貫通して設けられ、内径面の円周方向の一部に、上記配線２７を軸方向に沿って内部に這わす配線溝３０が設けられている。１次コイル２２およびステータコア２３を組立てる場合、配線２６を予め配線孔２８を通した状態で、軸方向から外方部材１の内径面に嵌合すれば良い。
【００２３】
各配線２６，２７の先端には、車体側およびタイヤやホイール側に配線２６，２７を接続するためのコネクタ３１，３２を設けている。タイヤやホイール側へ連結するコネクタ３２は、内方部材２におけるハブ輪９の、パイロット部１３よりも内径部でアウトボード側端面に固定されている。車体側へ連結するためのコネクタ３１は、外方部材１の外径面に固定されない状態で設けられている。
【００２４】
コネクタ３１，３２は、上記配線２６，２７として、固定側から回転側へ電力を供給する場合は電源線、回転側から固定側へセンサ等の出力信号を送信する場合は信号線を接続している。電源線および信号線の両方を接続しても良い。
【００２５】
コネクタ３１，３２は、一対のコネクタを互いに差し込み接続する差し込み接続型のコネクタ対における片方のものであり、プラグ型およびソケット型のうちのいずれであっても良い。コネクタ３１，３２は、多極のものであっても、同軸のものであっても良い。
図３は、ハブ輪９に固定したコネクタ３２と、このコネクタ３２に接続されるタイヤ側の配線３４のコネクタ３３の一例を、概略図で示す。
【００２６】
上記のように電力伝送装置２１を内蔵した構成にすれば、例えば、固定輪である外方部材１側から回転輪である内方部材２側に電力を供給する場合、１次コイル２２に交流電圧を加えると、コア２３，２５に発生した磁束により、誘導電力として２次コイル２４に伝達される。そのため、非接触で電力の供給を行うことができる。
また、上記のように、コネクタ３２を介してタイヤやホイールと連結することにより、車輪用軸受をホイールへ設置する際に配線が邪魔にならず、車輪用軸受を設置する前でもタイヤ内での配線を行うことが可能になる。コネクタ３１，３２は、嵌合状態で防水性を有するものを使用すると良い。そうすることで、自動車の足回りのような環境が悪い条件でも使用できる。また、ハブ輪９側の配線２７は、配線溝３０に固定しておくと良い。そうすれば、等速ジョイントを組み込む際にも、配線２７が邪魔にならず、断線することなく組み込むことが可能となる。また、配線孔２８，２９や配線溝３０の一部をモールド樹脂（図示せず）等でモールドしておけば、軸受内部へ水などが浸入することを防止できる。また、１次コイル２２および２次コイル２４には、保護用の隔壁となる樹脂等のカバー（図示せず）で覆っても良く、これによりコイル２２，２４を保護することが出来る。
【００２７】
なお、この実施形態では、電力伝送装置２１として１次コイル２２と２次コイル２４からなるロータリトランス構造を示しているが、電力伝送装置２１は、非接触で電力を供給可能なものであれば良く、この他に、赤外線、光、電波、超音波、容量カップリング、磁気結合、などを利用して電力を伝送するものであっても良い。ただし、車輪用軸受のような回転体の場合は、この実施形態のようなロータリトランス構造が適していると考えられる。
【００２８】
図１０は、図１の実施形態と同様な構成の電力伝送装置付車輪用軸受をナックル６０に固定した組立図を示す。なお、同図の車輪用軸受装置は、内方部材２の内輪１０をハブ輪９の端部の加締部９ｃで加締固定している点で図１の実施形態と異なるが、その他の構成は同じである。
この電力伝送装置付車輪用軸受は、その固定輪である外方部材１をナックル６０にボルト６１で連結している。内方部材２には、等速ジョイント６２の外輪６３のステム部６３ａを挿通し、ステム部６３ａの基端周辺の段面と先端のナット６４との間で内方部材２を挟み込むことで、車輪用軸受装置と等速ジョイント６２とを連結している。車輪用軸受装置の回転輪である内方部材２には、そのハブフランジ９ａにブレーキロータ４０とホイール５０とを重ね、ハブボルト１５で固定する。ホイール５０にはタイヤ５０ａが取付けられている。
【００２９】
図４は、この発明の他の実施形態を示す。この実施形態は、電力伝送装置２１における１次コイル２２および２次コイル２４を、互いがアキシャル方向に対向するように設置したものである。ステータコア２３Ａおよびロータコア２５Ａは、Ｌ字形断面となるリング状部材とし、その内部に１次コイル２２および２次コイル２４が巻かれている。
１次コイル２２または２次コイル２４に交流電圧を加えた場合の磁路つまり磁気回路は、回転輪を構成するハブ輪９の一部を含んでいる。このように磁気回路がハブ輪９の一部を含むように構成すれば、磁気回路を構成し易く、ロータコア２５Ａやステータコア２３Ａの形状を簡素化できる。その他の構成，効果については、図１の実施形態と同様である。
【００３０】
図５は、この発明のさらに他の実施形態を示す。この実施形態は、従動輪用の車輪用軸受に適用した例である。回転輪となる内方部材２を構成するハブ輪９は、中心部に貫通孔を有しない形状とされている。この車輪用軸受において、アウトボード側の転走面３，４とアウトボード側のシール７Ａとの間に電力伝送装置２１を配置している。この実施形態では、タイヤやホイール側に配線２７を連結するためのコネクタ３２を、回転輪となるハブ輪９の先端に固定していないが、固定しても構わない。電力伝送装置２１の組み立てを可能にするために、アウトボード側のシール７Ａは回転輪であるハブ輪９に設置している。それ以外の構成は、図１の実施形態と同様である。
【００３１】
図６は、この発明のさらに他の実施形態を示す。この実施形態では、電力伝送装置２１は、回転輪を構成するハブ９のハブフランジ９ａの基端と、固定輪となる外方部材１のアウトボード側端の内径面との間に配置されている。１次コイル２２と２次コイル２４は、アキシャル方向に対向するように配置されている。回転輪のハブフランジ９ａと外方部材１のアウトボード側の端面との間には密封装置７Ｂを設けている。ハブフランジ９ａの円周方向の一部には、２次コイルの配線２７を這わす配線溝３６が設けられており、ハブフランジ９ａの外径面から配線２７に連結されたコネクタ３２を外に出している。この配線２７のハブフランジ９ａから外に出された部分は、ブレーキロータ４０の一部に配線孔４１を設けて外径側へ引き出すと良い。それ以外の構成は、図４と共に前述した実施形態と同じである。
【００３２】
図７は、この発明のさらに他の実施形態を示す。図７（Ｂ）はアウトボード側から見たホイール５０の内径部の図を示す。この実施形態では、電力伝送装置２１におけるロータコア２５Ａの形状が図６の例と異なり、１次コイル２２または２次コイル２４に交流電圧を加えた場合の磁路は、回転輪を構成するハブ輪９と固定輪である外方部材１の一部を含む。また、ハブ輪９のハブフランジ９ａの一部に配線孔４２を設け、ハブフランジ９ａのアウトボード側の側面にコネクタ３２を固定している。この場合、ホイール５０およびブレーキロータ４０の内径面に、互いに整合する切欠き５１を設け、この切欠き５１内にコネクタ３２が来るように配置する。これにより、ブレーキロータ４０やホイール５０の設置後でも容易に配線することができる。それ以外の構成は、図６の実施例と同じである。
【００３３】
図８は、この発明のさらに他の実施形態を示す。この実施形態では、電力伝送装置２１の１次コイル２２および２字コイル２４を、固定輪である外方部材１の外周に位置させている。ステータコア２３Ａは外方部材１の外径面に固定し、ロータ２５Ａはハブフランジ９ａの側面に固定している。それ以外の構成は、図７の実施形態と同じである。
【００３４】
図９は、この発明のさらに他の実施形態を示す。この実施形態では、回転輪を構成する内方部材２のハブ輪９と、固定輪である外方部材１に、それぞれ制御回路５３，５４を設置している。制御回路５３，５４は、回路基板に回路素子を実装したもの、または回路チップからなり、ハブ輪９のハブフランジ９ａの側面、および外方部材１の外径面に固定されている。これら制御回路５３，５４は、伝達する電力の安定化を行うものであり、整流回路、レギュレータ、インバータなどを含む。例えば、固定輪である外方部材１側の制御回路５４にインバータ、回転輪を構成するハブ輪９側に整流回路およびレギュレータを設ける。これにより、車体側からの直流電圧を交流電圧に変換し、１次コイル２２に交流電圧を加える。１次コイル２２に交流電圧を加えると、誘導電力として２次コイル２４に伝達されるため、２次コイル２４で発生した交流電圧を整流回路で直流電圧に変換し、レギュレータで平滑、定電圧化して出力すれば、タイヤやホイールに設置したセンサへ安定した電力を供給できる。ハブフランジ９ａに設ける配線２７の案内用の溝３６は、ハブフランジの内径部から、制御回路５３の取付位置までとされている。この実施形態におけるその他の構成は、図６に示す実施形態と同様である。
【００３５】
なお、上記各実施形態では、電力伝送装置２１を複列の転走面３，３間か、または車輪用軸受装置のアウトボード側端に配置したが、車輪用軸受装置のインボード側部に電力伝送装置２１を設け、等速ジョイント６２（図１０）に設置したセンサ（図示せず）へ電力を供給するようにしても良い。その場合、固定輪となる外方部材１のインボード側端面に１次コイル２２を設置し、内輪１０に２次コイル２４を設けても良い。
また、上記各実施形態は、外方部材１が固定側輪としたが、この発明は内方部材が固定側輪で外方部材が回転側輪となる車輪用軸受装置にも適用することができる。
【図面の簡単な説明】
【００３６】
【図１】この発明の第１の実施形態にかかる電力伝送装置付車輪用軸受の断面図である。
【図２】同電力伝送装置付車輪用軸受をインボード側から見た側面図である。
【図３】コネクタの一例を示す概略図である。
【図４】この発明の他の実施形態を示す断面図である。
【図５】この発明のさらに他の実施形態を示す断面図である。
【図６】この発明のさらに他の実施形態を示す断面図である。
【図７】（Ａ），（Ｂ）は、それぞれこの発明のさらに他の実施形態を示す断面図、およびそのホイールの内径部を示す正面図である。
【図８】この発明のさらに他の実施形態を示す断面図である。
【図９】この発明のさらに他の実施形態を示す断面図である。
【図１０】この発明のさらに他の実施形態に係る電力伝送装置付車輪用軸受をナックルに取付け、ホイールを組付けた状態を示す組立図である。
【符号の説明】
【００３７】
１…外方部材（固定輪）
２…内方部材（回転輪）
３，４…転走面
５…転動体
７，８…シール（密封装置）
２１…電力伝送装置
２２…１次コイル
２３…ステータコア
２４…２次コイル
２５…ロータコア
２６，２７…配線
２８，２９…孔
３０…溝
３１，３２…コネクタ
４０…ブレーキロータ
５０…ホイール
５０ａ…タイヤ
【図１】
2008249046.tif 000003
【図２】
2008249046.tif 000004
【図３】
2008249046.tif 000005
【図４】
2008249046.tif 000006
【図５】
2008249046.tif 000007
【図６】
2008249046.tif 000008
【図７】
2008249046.tif 000009
【図８】
2008249046.tif 000010
【図９】
2008249046.tif 000011
【図１０】
2008249046.tif 000012